(57)【要約】【課題】締め具等を用いることなく、終端部分の蓋についても側溝に対して容易に着脱可能な側溝用蓋の固定構造を提供する。【解決手段】側溝１０の上端面１２には、スリット２２と切欠２４Ａ〜２４Ｄを有する受枠２０が固定されている。蓋３０Ａ〜３０Ｃは、縁部３６の裏面の係合片３８を、切欠２４Ａ〜２４Ｃに挿入してからスリット２２に沿ってスライドさせると、受枠上面２０Ｄと係合して固定される。終端部の蓋５０には、縁部５６を貫通しない深さの凹部５８と、該凹部５８の底面を貫通するスリット６０が形成されている。蓋５０を受枠２０の所定位置に嵌め、スリット６０を介して係合具７０の係合片７４を切欠２４Ｄに挿入し、係合具７０を凹部５８内でスライドさせて蓋５０を受枠２０に固定する。その後、凹部５８には、係合具７０のロックを兼ねたカバー体８０が設けられる。【選択図】図４
2009138481.tif 000002
【特許請求の範囲】
【請求項１】
側溝の開口部を覆う蓋の固定構造であって、
蓋本体に連続形成されており前記側溝の上端面を被覆可能な縁部と、該縁部の表面に一つ以上形成されており該縁部を貫通しない深さの凹部と、該凹部の底面を貫通しており前記側溝の延長方向に形成された所定長さの第１のスリットを有する蓋，
該蓋の縁部を受ける係合面と、該係合面に前記側溝の延長方向に形成された第２のスリットと、該第２のスリットに連続形成された切欠部と、前記係合面の下方に形成された中空部を有しており、前記蓋の縁部を所定位置に重ねたときに、前記第１及び第２のスリットの位置が一致し、かつ、前記切欠部が前記凹部裏側に位置するように、前記側溝の一対の側面上部に配置される縁受部，
前記第１のスリットから前記縁受部の切欠部に一部を挿入したときに、他の部分が前記凹部内に収納されるとともに、前記凹部内で前記第１及び第２のスリットに沿ってスライド可能であって、前記蓋の凹部と縁受部の係合面に表裏から係合可能な係合具，
該係合具が前記凹部及び係合面と係合した状態で、前記第１のスリットに嵌合する凸部と、前記蓋の表面が面一になるように前記凹部に嵌合する被覆部を有するカバー体，
を備えたことを特徴とする側溝用蓋の固定構造。
【請求項２】
前記縁受部が、前記側溝の一対の側面上部に固定ないし埋設された金具により形成されていることを特徴とする請求項１記載の側溝用蓋の固定構造。
【請求項３】
前記縁受部の切欠部が、前記第２のスリットに複数設けられており、
前記切欠部から挿入され前記係合面に裏側から係合可能な係合片を裏面に有するとともに、前記縁受部に対してスライド式に着脱される一つ以上の他の蓋，
を含むことを特徴とする請求項１又は２記載の側溝用蓋の固定構造。
【発明の詳細な説明】
【技術分野】
【０００１】
本発明は、側溝用蓋の固定構造に関し、更に具体的には、着脱作業の効率改善に関するものである。
【背景技術】
【０００２】
一般道路，特に舗道においては、路面上の雨水などを集水及び排水するために、道路脇や歩車道の境界にＵ字型の側溝が設置されており、この側溝は、通常、排水部材のグレーチングや、鉄筋コンクリートで形成された板状の充填製蓋で覆われている。従来、側溝用蓋は、側溝の上端側に敷設された受枠部材に対して、ボルトやナットを使用して固定される。しかしながら、複数の蓋体毎にボルトとナットを締めるため、着脱作業に手間がかかるという不都合がある。このような問題を解決するため、下記特許文献１のグレーチングの溝体への敷設係止構造には、グレーチングの裏面のコーナー部に設けた片持ち梁状の係止片と、受枠部材の下板に設けた挿入口を有する係止片挿入スロットとの係合により、グレーチングをスライドさせて敷設を行うことが開示されている。
【特許文献１】特開２００４−１５００８７公報
【発明の開示】
【発明が解決しようとする課題】
【０００３】
しかしながら、前記特許文献１に記載の技術では、終端以外のグレーチングに関してはスライド式に着脱できるものの、終端のグレーチングに関しては、従来手段（ボルトとナット等）によって機械的に連結する必要がある。このため、終端部のグレーチングの着脱作業については、効率的とは言いがたいという不都合がある。
【０００４】
本発明は、以上の点に着目したもので、その目的は、ボルトやナットなどの締め具等を用いることなく、終端部分の蓋についても側溝に対して容易に着脱可能な側溝用蓋の固定構造を提供することである。
【課題を解決するための手段】
【０００５】
前記目的を達成するため、本発明は、側溝の開口部を覆う蓋の固定構造であって、蓋本体に連続形成されており前記側溝の上端面を被覆可能な縁部と、該縁部の表面に一つ以上形成されており該縁部を貫通しない深さの凹部と、該凹部の底面を貫通しており前記側溝の延長方向に形成された所定長さの第１のスリットを有する蓋，該蓋の縁部を受ける係合面と、該係合面に前記側溝の延長方向に形成された第２のスリットと、該第２のスリットに連続形成された切欠部と、前記係合面の下方に形成された中空部を有しており、前記蓋の縁部を所定位置に重ねたときに、前記第１及び第２のスリットの位置が一致し、かつ、前記切欠部が前記凹部裏側に位置するように、前記側溝の一対の側面上部に配置される縁受部，前記第１のスリットから前記縁受部の切欠部に一部を挿入したときに、他の部分が前記凹部内に収納されるとともに、前記凹部内で前記第１及び第２のスリットに沿ってスライド可能であって、前記蓋の凹部と縁受部の係合面に表裏から係合可能な係合具，該係合具が前記凹部及び係合面と係合した状態で、前記第１のスリットに嵌合する凸部と、前記蓋の表面が面一になるように前記凹部に嵌合する被覆部を有するカバー体，を備えたことを特徴とする。
【０００６】
主要な形態の一つは、前記縁受部が、前記側溝の一対の側面上部に固定ないし埋設された金具により形成されていることを特徴とする。他の形態は、前記縁受部の切欠部が、前記第２のスリットに複数設けられており、前記切欠部から挿入され前記係合面に裏側から係合可能な係合片を裏面に有するとともに、前記縁受部に対してスライド式に着脱される一つ以上の他の蓋，を含むことを特徴とする。本発明の前記及び他の目的，特徴，利点は、以下の詳細な説明及び添付図面から明瞭になろう。
【発明の効果】
【０００７】
本発明は、蓋本体に連続形成された縁部に、該縁部を貫通しない深さの凹部と、該凹部の底面を貫通する所定長さの第１のスリットを形成し、側溝の側面上端側には、第２のスリットと切欠部を有する係合面と、該係合面の下方に形成された中空部を有する縁受部を設ける。そして、前記蓋を前記縁受部の所定位置に重ねたときに、前記凹部内に収納可能な係合具を、前記第１及び第２のスリットに沿ってスライドさせて前記蓋と縁受部を固定するとともに、前記凹部に前記係合具のロックを兼ねたカバー手段を設けることとした。このため、終端部の蓋についても、効率良く着脱作業を行うことができるという効果が得られる。
【発明を実施するための最良の形態】
【０００８】
以下、本発明を実施するための最良の形態を、実施例に基づいて詳細に説明する。
【実施例１】
【０００９】
最初に、図１〜図５を参照しながら本発明の実施例１を説明する。図１(A)は、本実施例の全体構成を示す外観斜視図，図１(B)は受枠の構造を示す外観斜視図である。図２(A)は端部以外の蓋の構造を示す外観斜視図，図２(B)は前記図１(A)を＃１−＃１線に沿って切断し矢印方向に見た断面図である。図３(A)は、端部の蓋の構造を示す外観斜視図，図３(B)は係合具を示す外観斜視図，図３(C)はカバー体を示す外観斜視図である。図４及び図５は、本実施例の蓋固定手順の一例を示す図である。本実施例は、図１(A)に示すように、例えば、道路脇や歩車道の境界に設置されたＵ字型の側溝に適用されるものである。
【００１０】
図１(A)に示すように、側溝１０は、対向する一対の側面の上端面１２に受枠２０が固定されており、該受枠２０に複数の蓋３０Ａ〜３０Ｃ及び５０が着脱可能に取り付けられている。前記蓋３０Ａ〜３０Ｃは、従来技術と同様に受枠２０に対して蓋自体がスライド式に着脱する構造となっている。また、蓋５０は、後述する係合具７０を利用することによって、蓋自体をスライドさせることなく、受枠２０の終端部に固定することが可能となっている。
【００１１】
前記受枠２０は、図１(B)及び図２(B)に示すように、底面２０Ａ，側面２０Ｂ及び２０Ｃ，縁部２０Ｅを有する上面２０Ｄ，外側に傾斜した補強片２０Ｆ，延設片２０Ｇにより構成されている。前記上面２０Ｄと底面２０Ａの間には、中空部２１が形成されている。また、前記縁部２０Ｅの高さは、蓋３０Ａ〜３０Ｃ及び５０の縁部の厚みと略同一となるように設定されている。前記上面２０Ｄと延設片２０Ｇの間には、側溝１０の延長方向に沿ってスリット２２が形成されている。更に、該スリット２２よりも幅広の複数の切欠２４Ａ〜２４Ｄが、適宜間隔で前記スリット２２に連続形成されている。前記切欠２４Ａ〜２４Ｄは、全て同じ寸法及び形状に形成されており、片方の受枠２０に２つずつ設けられている。本実施例では、前記切欠２４Ａ〜２４Ｃは、前記蓋３０Ａ〜３０Ｃを固定するために利用され、他の切欠２４Ｄは、終端部の蓋５０を固定するときに利用される。
【００１２】
一方、前記受枠２０の底面２０Ａには、前記側溝１０の上端面１２に固定するためのアンカーボルト２８用の孔２６が、適宜位置に複数設けられている。このような受枠２０は、図２(B)に示すように、前記補強片２０Ｆの下端が、前記上端面１２の外側に接する程度の位置に配置され、前記底面２０Ａに設けた孔２６を利用して、アンカーボルト２８により側溝１０の上端面１２に固定される。なお、前記上端面１２の内側寄りの位置は、蓋本体の底面を受ける受部１４として利用される。
【００１３】
次に、終端部以外の位置に設置される蓋３０Ａ〜３０Ｃについて説明する。なお、蓋３０Ａ〜３０Ｃは同一の構造となっているため、以下、蓋３０Ａを例に挙げて説明する。図２(A)に示すように、蓋３０Ａは、複数のバー３４からなる本体３２の上面両側に、縁部３６が連続形成された構造となっている。前記縁部３６の幅は、前記受枠２０の上面２０Ｄ，スリット２２，延設片２０Ｇの幅の和と略同一となっている。また、前記縁部３６の裏面の適宜位置には、平面部４０Ａと固定部４０Ｂからなる断面略Ｌ字状の係合片３８が固定されている。前記平面部４０Ａは、前記受枠２０の切欠２４Ａ〜２４Ｃに挿入可能な形状及び寸法に形成されており、前記固定部４０Ｂは、前記受枠２０のスリット２２に沿ってスライド可能な形状及び厚みに設定されている。前記係合片３８は、一対の縁部３６の両端近傍に一つずつ，すなわち、一つの蓋３０Ａに４つ設けられている。このような係合片３８は、前記平面部４０Ａを前記切欠２４Ａ〜２４Ｃのいずれかに挿通した後に、前記スリット２２に沿って蓋３０Ａをスライドさせることによって、前記受枠上面２０Ｄの裏面に係合する。
【００１４】
次に、終端部に設置される蓋５０は、図３(A)に示すように、複数のバー５４からなる本体５２の上面両側に、縁部５６が連続形成された構成となっている。前記縁部５６の幅は、前記蓋３０Ａの縁部３６の幅と略同一となっている。また、前記縁部５６の表面の両端近傍には、該縁部５６を貫通しない深さの略長方形の凹部５８が形成されており、該凹部５８の底面略中央部には、前記側溝１０の敷設方向に延長したスリット６０が、前記凹部５８の底面を貫通するように形成されている。前記スリット６０は、後述する係合具７０を取り付けたときに、該係合具７０がスライド可能となる程度の長さを有している。なお、前記蓋５０の縁部５６を前記受枠２０の所定の位置に重ねたとき、前記スリット６０と前記受枠２０側のスリット２２の位置が一致するとともに、前記凹部５８の裏側に、前記受枠２０の切欠２４Ｄが位置するように各部の位置が設定されている。
【００１５】
前記係合具７０は、図３(B)に示すように、上面７２の裏面に、底面７６と側面７８からなる断面略Ｌ字状の係合片７４を固定した形状となっている。前記上面７２は、前記蓋５０の凹部５８内に収納されてスライド可能な寸法に設定されている。また、前記底面７６は、前記スリット６０を介して前記受枠２０の切欠２４Ｄに挿入可能な寸法及び形状に設定されており、前記側面７８は、前記スリット６０及び２２に沿ってスライド可能な厚みに設定されている。このような係合具７０は、前記底面７６を前記スリット６０を介して前記切欠２４Ｄに挿入した後、前記スリット６０に沿ってスライドさせると、前記上面７２と底面７６によって、前記凹部５８の底面と前記受枠上面２０Ｄの裏面に係合する。
【００１６】
前記カバー体８０は、図３(C)に示すように、前記係合具７０を前記凹部５８内で一方に寄せたときに生じるスリット６０の隙間に嵌合する凸部８２が、基部８４を介してカバー部８６の裏面に固定された構造となっている。前記カバー部８６は、例えば、前記凹部５８に嵌めたときに、前記縁部５６の表面と面一となるように厚みが設定されている。また、前記基部８４は、前記係合具７０の上面７２と略同一の厚みに設定されている。本実施例では、前記カバー部８６として、例えば、ゴムなどの弾性を有する素材を用いている。これは、凹部５８に嵌めたカバー体８０をめくって取り外しやすくするためである。前記係合具７０及びカバー体８０は、前記凹部５８の数に応じて用意される。
【００１７】
次に、本実施例の作用を説明する。なお、前記受枠２０は、蓋３０Ａ〜３０Ｃ及び５０の取り付け前に、予め前記側溝１０の上端面１２に固定されているものとする。まず、図４(A)に示すように、受枠２０の右側の切欠２４Ａに、裏面の係合片３８の位置が合うように蓋３０Ａを重ねる。そして、図４(A)に矢印Ｆ４で示すように、前記蓋３０Ａを所望の位置まで移動させると、前記係合片３８が受枠２０のスリット２２に沿ってスライドし、図４(B)に示すように、前記係合片３８が受枠上面２０Ｄの裏面に係合する。同様の手順により、蓋３０Ｂの係合片３８を、受枠２０の切欠２４Ｂに合わせて重ね、矢印Ｆ４方向にスライドさせて、図４(C)に示すように蓋３０Ｂを所定の位置に固定する。更に、同様の手順により、蓋３０Ｃを受枠２０に固定する。そして、図４(D)に示すように、受枠２０の終端部に蓋５０を重ね、係合具７０を用いて固定したのち、カバー体８０を設けると、図４(E)に示すように、受枠２０に対して蓋５０が容易に装着される。
【００１８】
図５には、前記蓋５０の詳細な固定手順が示されている。図５は、蓋５０の凹部５８近傍を一部拡大して示す図であり、(A-1)，(B-1)，(C-1)，(D)は斜視図、(A-2)，(B-2)，(C-2)は、前記(A-1)，(B-1)，(C-1)を、それぞれ＃５Ａ−＃５Ａ線，＃５Ｂ−＃５Ｂ線，＃５Ｃ−＃５Ｃ線に沿って切断し矢印方向に見た断面図である。まず、図５(A-1)及び(A-2)に示すように、受枠２０の終端部に蓋５０を重ねる。このとき、受枠２０には、前記蓋５０を載せるだけの隙間が空いており、蓋５０自体を受枠２０に沿ってスライドすることは不可能となっている。なお、蓋５０を受枠２０に重ねた状態のとき、図５(A-1)に示すように、受枠２０側の切欠２４Ｄは、蓋５０の凹部５８の裏側に位置している。このため、係合具７０の係合片７４を、前記スリット６０を介して前記切欠２４Ｄに挿入し、図５(B-1)及び(B-2)に示すように、係合具７０を前記凹部５８内に取り付けることができる。
【００１９】
ここで、図５(B-1)に矢印で示すように、前記係合具７０をスリット６０及び２２に沿ってスライドさせ、図５(C-1)に示す位置まで移動させると、図５(C-2)に示すように、前記係合具７０の底面７６が、受枠上面２０Ｄの裏面に係合し、蓋５０が受枠２０に固定される。最後に、図５(D)に示すように、カバー体８０の凸部８２が前記スリット６０の隙間に嵌合するようにカバー体８０を前記凹部５８内に被せると、前記係合具７０の位置をロックするとともに、係合具７０が外部から隠れて蓋５０の表面が面一となる。蓋を除去する場合は、最初に、カバー体８０を蓋５０から外し、係合具７０を凹部５８内でスライドさせてから凹部５８から取り外し、次に、蓋５０自体を受枠２０から持ち上げて取り外す。その後、蓋３０Ｃ，３０Ｂ,３０Ａを順にスライドさせて受枠２０から取り外すというように、上述した手順と逆の動作を行う。
【００２０】
このように、本実施例によれば、次のような効果がある。
(1)側溝１０の上端面１２に受枠２０を設け、蓋５０の縁部５６には、該縁部５６を貫通しない深さの凹部５８と、該凹部５８の底面を貫通する所定長さのスリット６０を形成する。そして、前記凹部５８のスリット６０内でスライドする係合具７０を利用し、前記蓋５０を受枠２０に対して固定することとしたので、終端部の蓋５０についても、効率の良く着脱作業を行うことができる。
(2)係合具７０が前記凹部５８内で受枠２０側と係合した状態において、前記スリット６０，２２の隙間に嵌合する凸部８２を有するカバー体８０を、前記凹部５８に取り付けることとしたので、係合状態のロックが可能となる。また、係合具７０が外部から隠れるため、外し方が容易に判別できず、セキュリティ性を高めることができる。
(3)蓋５０以外の蓋３０Ａ〜３０Ｃが、前記受枠２０に対してスライド式に着脱可能なため、着脱作業の一層の効率向上を図ることができる。
(4)受枠２０の切欠２４Ａ〜２４Ｄの寸法及び形状が同一のため、蓋３０Ａ〜３０Ｃ及び蓋５０の取り付け位置を任意に変更できる。
【００２１】
なお、本発明は、上述した実施例に限定されるものではなく、本発明の要旨を逸脱しない範囲内において種々変更を加え得ることができる。例えば、以下のものも含まれる。
(1)前記実施例１で示した形状及び寸法は一例であり、必要に応じて適宜変更してよい。
(2)前記実施例１では、側溝１０の上端面１２に受枠２０を固定することとしたが、これも一例であり、受枠２０の上面２０Ｄが前記上端面１２と面一となるように埋設固定してもよい。あるいは、受枠２０を設けずに、側溝１０の上端面近傍に、前記受枠２０と同様の構造を直接形成するようにしてもよい。
(3)前記受枠２０の固定方法も一例であり、公知の各種の固定方法を適用してよい。
(4)前記蓋３０Ａ〜３０Ｃの着脱機構も一例であり、同様の効果を奏するように適宜設計変更してよい。
(5)前記実施例１では、終端部に蓋５０を利用し、他の部分に蓋３０Ａ〜３０Ｃを用いることとしたが、蓋５０を複数利用するようにしてもよい。また、蓋３０Ａ〜３０Ｃ及び蓋５０の取り付け位置を、必要に応じて適宜変更してよい。更に、前記蓋３０Ａ〜３０Ｃの数も一例であり、必要に応じて適宜増減してよい。
(6)前記実施例では、道路脇や歩車道の境界に設置されるＵ字型の側溝１０について本発明を適用したが、他の公知の各種の場所に設置された側溝に本発明は適用可能である。
【産業上の利用可能性】
【００２２】
本発明によれば、蓋本体に連続形成された縁部に、該縁部を貫通しない深さの凹部と、該凹部の底面を貫通する所定長さの第１のスリットを形成し、側溝の側面上端側には、第２のスリットと切欠部を有する係合面と、該係合面の下方に形成された中空部を有する縁受部を設ける。そして、前記蓋を前記縁受部の所定の位置に重ねたときに、前記凹部内に収納可能な係合具を、前記第１及び第２のスリットに沿ってスライドさせて前記蓋と縁受部を固定するとともに、前記凹部に前記係合具のロックを兼ねたカバー手段を設けることとしたので、側溝用蓋の固定構造に適用できる。とくに、蓋本体をスライドさせずに容易に着脱が可能なため、側溝の終端部に設置される蓋の固定構造に好適である。
【図面の簡単な説明】
【００２３】
【図１】本発明の実施例１を示す図であり、(A)は全体構成を示す外観斜視図，(B)は受枠の構造を示す外観斜視図である。
【図２】前記実施例１を示す図であり、(A)は端部以外の蓋の構造を示す外観斜視図，(B)は前記図１(A)を＃１−＃１線に沿って切断し矢印方向に見た断面図である。
【図３】前記実施例１を示す図であり、(A)は端部の蓋の構造を示す外観斜視図，(B)は係合具を示す外観斜視図，(C)はカバー体を示す外観斜視図である。
【図４】前記実施例１の蓋固定手順の一例を示す図である。
【図５】前記実施例１の蓋固定手順の一例を示す図である。
【符号の説明】
【００２４】
１０：側溝
１２：上端面
１４：受部
２０：受枠
２０Ａ：底面
２０Ｂ，２０Ｃ：側面
２０Ｄ：上面
２０Ｅ：縁部
２０Ｆ：補強片
２０Ｇ：延設片
２１：中空部
２２：スリット
２４Ａ〜２４Ｄ：切欠
２６：孔
２８：アンカーボルト
３０Ａ〜３０Ｃ：蓋
３２：本体
３４：バー
３６：縁部
３８：係合片
４０Ａ：平面部
４０Ｂ：固定部
５０：蓋
５２：本体
５４：バー
５６：縁部
５８：凹部
６０：スリット
７０：係合具
７２：上面
７４：係合片
７６：底面
７８：側面
８０：カバー体
８２：凸部
８４：基部
８６：カバー部
【図１】
2009138481.tif 000003
【図２】
2009138481.tif 000004
【図３】
2009138481.tif 000005
【図４】
2009138481.tif 000006
【図５】
2009138481.tif 000007